(57)【要約】【課題】インピーダンス整合を簡易な回路により実現し、回路規模を小型化して消費電力を低減するとともに、高転送レートに対応可能なライトドライバ回路を用いた磁気記憶装置を提供する。【解決手段】Ｈブリッジの４つの辺にそれぞれ配置された４つ電流源ＣＳ１〜ＣＳ４と、Ｈブリッジのブリッジに設けられた磁気ヘッド１４と、Ｈブリッジのブリッジおよび辺の接続点Ｐ，Ｎとグランドとの間に接続されたコンデンサＣ１，Ｃ２および終端抵抗Ｒ１，Ｒ２の直列回路により構成される。【選択図】　　　　図６
2004087016.tif 000002
【特許請求の範囲】
【請求項１】
第１の電源と第２の電源との間に形成されたＨブリッジのブリッジに設けられた磁気ヘッドに記録電流を流して、記録媒体に情報を記録する磁気記憶装置において、
前記Ｈブリッジの各辺に電流源を有し、前記電流源は、第１の電源から第２の電源の方向に流れる４つの電流源であって、前記４つ電流源は２つの組からなり、前記各組の電流源は、同時にオンオフして前記ブリッジに同一方向の記録電流を流すように配置され、
前記ブリッジと辺との接続点と、グランドまたは前記電源との間に、コンデンサと抵抗よりなる直列回路を設けたことを特徴とする磁気記憶装置。
【請求項２】
前記接続点とグランドとの間に抵抗を更に設けたことを特徴とする請求項１記載の磁気記憶装置。
【請求項３】
第１の電源と第２の電源との間に形成されたＨブリッジのブリッジに設けられた磁気ヘッドに記録電流を流して、記録媒体に情報を記録する磁気記憶装置において、
前記Ｈブリッジの４辺の各辺にスイッチング素子を有し、前記スイッチング素子は２つの組からなり、前記各組のスイッチング素子は、同時にオンオフして前記ブリッジに同一方向の記録電流を流すように配置され、
前記ブリッジと辺との接続点と、グランドまたは電源との間に、コンデンサと抵抗よりなる直列回路を設けたことを特徴とする磁気記憶装置。
【請求項４】
前記スイッチング素子はトランジスタであり、
前記磁気ヘッドに電流を供給する側のトランジスタに、オンオフ制御を行う制御信号をローパスフィルタを介して供給することを特徴とする請求項３記載の磁気記憶装置。
【請求項５】
前記スイッチング素子はトランジスタであり、
前記接続点に、前記磁気ヘッドに記録電流を流す立上がり期間に電流を供給する電流源をさらに設けたことを特徴とする請求項３記載の磁気記憶装置。
【発明の詳細な説明】
【０００１】
【発明の属する技術分野】
本発明は磁気記憶装置に関し、特に磁気記録媒体に高転送レートで記録可能とするライトドライバ回路を備えた磁気記憶装置に関する。
【０００２】
【従来の技術】
近年、情報の取扱量の増大に伴い、磁気記憶装置、特にハードディスク装置やデータバックアップ用磁気テープ装置などに対して、高転送レート化が要求されている。その要求に応えるために、これらの装置の記録再生回路および磁気記録媒体の種々の観点から対策が提案されている。
【０００３】
磁気記憶装置、例えばハードディスク装置では、リード／ライト系回路を構成するヘッドアンプＩＣのライトドライバ回路により記録ヘッドに高速で交番する電流を流して記録磁界を発生させ、回転する磁気ディスクを磁化して、データを記録している。
【０００４】
図１は、従来のライトドライバ回路の主要部分の構成を示す図である。図１に示すように、ライトドライバ回路１００は、４つのトランジスタＱ１０１〜１０４と磁気ヘッド１０１によりなるＨブリッジを構成し、磁気ヘッド１０１を挟んで斜めに対向するトランジスタをオンにすることにより磁気ヘッド１０１に電流を流すようになっている。例えば、トランジスタＱ１０１，Ｑ１０４をオンして、トランジスタＱ１０３，Ｑ１０２をオフすると、記録電流が磁気ヘッド１０１をＰからＮへ流れる。次にトランジスタＱ１０１，Ｑ１０４をオフして、トランジスタＱ１０３，Ｑ１０２をオンすると記録電流が磁気ヘッド１０１をＮからＰへ流れる。このようにして、磁気ヘッド１０１は交番する記録磁界を発生させ、磁気ヘッド１０１に近接して対向する磁気記録媒体（図示せず）を磁化して情報を記録する。
【０００５】
【発明が解決しようとする課題】
ところで、転送レートが向上するにしたがって、ライトドライバ回路のインピーダンス整合を考慮したライトドライバ回路が提案されている。
【０００６】
図２は、ライトドライバ回路の主要部分の構成を示す図である。図２に示すように、ライトドライバ回路１１０は、外側の４つのトランジスタＱ１１１〜１１４、内側の４つの電流源ＣＳ１１１〜１１４および磁気ヘッド１０１よりなる二重のＨブリッジと、磁気ヘッド１０１の両側に接続されたインピーダンス整合をとるための抵抗Ｒ１０１，Ｒ１０２などより構成されている。
【０００７】
外側の４つのトランジスタＱ１１１〜１１４は、図１において説明したＨブリッジと同様の動作をする。すなわち図３（Ａ）および（Ｂ）に示すように、ベースに記録データ信号が入力されてトランジスタＱ１１１，Ｑ１１４がオン、トランジスタＱ１１２，Ｑ１１３がオフすると、記録電流は図２に示す接続点ＰからＮの方向に流れ、次にトランジスタＱ１１１，Ｑ１１４がオフ、トランジスタＱ１１２，Ｑ１１３がオンすると、接続点ＮからＰの方向に流れ、図３（Ｅ）に示す波形の記録電流が磁気ヘッド１０１に流れる。ここで特徴的なのは、トランジスタから磁気ヘッド１０１までの伝送ラインによる寄生インダクタスや磁気ヘッド１０１のコイルのインダクタンスにより、記録電流の立上がり波形が角形にならず対数関数のようになることである。すなわち、伝送ラインによる寄生インダクタスや磁気ヘッド１０１のコイルのインダクタンスの和をＬ、抵抗Ｒ１０１，Ｒ１０２の抵抗値をＲとすると、立上がりの時定数τ＝Ｌ／Ｒで表される波形となる。
【０００８】
このような記録電流波形では、記録再生特性におけるオーバーライト特性およびＮＬＴＳ（Ｎｏｎ　Ｌｉｎｅａｒ　Ｔｒａｎｓｉｔｉｏｎ　Ｓｈｉｆｔ）特性を悪化させてしまうこともあり、その対策として、４つの電流源ＣＳ１１１〜１１４により、記録電流の立ち上がる際に磁気記録媒体の磁化が十分反転するようにパルス状の電流を磁気ヘッド１０１に流すようになっている。例えば、図３（Ａ）に示すトランジスタＱ１１１，Ｑ１１４のオンと同期させて、図３（Ｃ）に示すように電流源ＣＳ１１１，ＣＳ１１４を短い時間オンさせる。そうすると、この寄与により磁気ヘッド１０１にパルス状の電流が流れる。同様に図３（Ｂ）に示すトランジスタＱ１１２，Ｑ１１３のオンと同期させて、図３（Ｄ）に示すように電流源ＣＳ１１２，ＣＳ１１３を短い時間オンさせる。そうすると図３（Ｈ）に示すように立上がりがオーバーシュートした波形の記録電流が磁気ヘッドに流れ、オーバーライト等を改善することができる。しかし、この構成では、４つのトランジスタＱ１１１〜１１４に加えて４つの電流源ＣＳ１１１〜１１４が必要となり回路規模が増大してヘッドアンプＩＣのチップサイズが大きくなりかつ発熱も増加して、磁気ヘッド１０１の近辺に搭載できないという問題がある。
【０００９】
また、図２に示すように、ライトドライバ回路１１０には、トランジスタＱ１１１，Ｑ１１３のエミッタフォロワーの出力インピーダンスと、磁気ヘッド１０１のインピーダンスとの整合をとるために抵抗Ｒ１０１，Ｒ１０２が設けられている。例えば、トランジスタＱ１１１とＱ１１４がオンのときは、記録電流がトランジスタＱ１１１から抵抗Ｒ１０１、磁気ヘッド１０１、抵抗Ｒ１０２を流れトランジスタのＱ１１４のコレクタに流れる。しかし、トランジスタＱ１１４のコレクタの入力インピーダンスが高いため、ここでインピーダンスの不整合により反射波が生じ、記録電流の波形が乱れる原因となる。そこで、トランジスタＱ１１３を浅くオンして、記録電流の１０％以下程度の電流を流し、トランジスタＱ１１４のコレクタの入力インピーダンスを低下させ、抵抗Ｒ１０１，Ｒ１０２によるインピーダンスの整合がとれ、反射波が生じないようにしている。このように記録電流に加えてコレクタ入力のインピーダンスを低下させるための電流を電流源ＣＳ１０５に流す必要があるため、トランジスタＱ１１３をオフするのと比較して消費電力が増加するという問題がある。
【００１０】
したがって、本発明は上記の問題点に鑑みてなされたもので、その目的とするところは、インピーダンス整合を簡易な回路により実現し、回路規模を小型化して消費電力を低減するとともに、高転送レートの記録が可能なライトドライバ回路を用いた磁気記憶装置を提供することである。
【００１１】
【課題を解決するための手段】
本発明の一観点によれば、第１の電源と第２の電源との間に形成されたＨブリッジのブリッジに設けられた磁気ヘッドに記録電流を流して、記録媒体に情報を記録する磁気記憶装置において、前記Ｈブリッジの各辺に電流源を有し、前記電流源は、第１の電源から第２の電源の方向に流れる４つの電流源であって、前記４つ電流源は２つの組からなり、前記各組の電流源は、同時にオンオフして前記ブリッジに同一方向の記録電流を流すように配置され、前記ブリッジと辺との接続点と、グランドまたは前記電源との間に、コンデンサと抵抗よりなる直列回路を設けた磁気記憶装置が提供される。
【００１２】
本発明によれば、Ｈブリッジの各辺に電流源が設けられ、Ｈブリッジのブリッジに磁気ヘッド設けられている。これらの辺およびブリッジの接続点とグランドもしくは電源との間に直列接続されたコンデンサ及び抵抗が設けられている。このコンデンサ及び抵抗により、電流源と磁気ヘッドを接続する伝送線路及び磁気ヘッドのインピーダンスを整合することができ、高転送レートの記録電流信号がインピーダンスの不整合により波形が乱れることを防止することができる。また、４つの電流源、コンデンサおよび抵抗により構成されており、能動素子数が少ないので、回路を小型化し、省電力化を図ることができる。
【００１３】
さらに、コンデンサＣ、抵抗Ｒ、磁気ヘッドと電流源を接続する伝送線路および磁気ヘッドのインダクタンスＬからなるＬＣＲ直列共振回路を形成する。この共振回路により、記録電流の立上がりにオーバーシュートを形成でき、かつオーバーシュート量およびオーバーシュートの時間幅を調整することができる。その結果、転送レートの高速化および磁気記録媒体のオーバーライト特性、ＮＬＴＳ特性を改善することが可能である。
【００１４】
また、本発明の他の観点によれば、第１の電源と第２の電源との間に形成されたＨブリッジのブリッジに設けられた磁気ヘッドに記録電流を流して、記録媒体に情報を記録する磁気記憶装置において、前記Ｈブリッジの４辺の各辺にスイッチング素子を有し、前記スイッチング素子は２つの組からなり、前記各組のスイッチング素子は、同時にオンオフして前記ブリッジに同一方向の記録電流を流すように配置され、前記ブリッジと辺との接続点と、グランドまたは電源との間に、コンデンサと抵抗よりなる直列回路を設けた磁気記憶装置が提供される。
【００１５】
本発明によれば、スイッチング素子と磁気ヘッドを接続する伝送線路および磁気ヘッドのインピーダンスを整合することができ、高転送レートの記録電流信号がインピーダンスの不整合により波形が乱れることを防止することができる。また、能動素子数が少ないので、回路を小型化し、省電力化を図ることができる。さらに、記録電流の立上がりにオーバーシュートを形成でき、かつオーバーシュート量、立上がり時間を調整することができる。その結果、転送レートの高速化および磁気記録媒体のオーバーライト特性、ＮＬＴＳ特性を改善することが可能である。
【００１６】
【発明の実施の形態】
以下、図面に基づいて本発明の実施例を説明する。
【００１７】
［第１実施例］
図４は、本発明の実施例に係る磁気ディスク装置の一例を示す斜視図である。図４を参照するに、磁気ディスク装置１０は、筐体１１Ａ，１１Ｂと、筐体１１に収納され、スピンドルハブ１２に固定された磁気ディスク１３と、磁気ディスク１３に近接・対向して記録再生を行う磁気ヘッド１４と、磁気ヘッド１４を支持し、他端をヘッドアーム１５に固定されたサスペンション１６と、複数のヘッドアーム１５が一体となったヘッドスタックアセンブリ１７と、ヘッドスタックアセンブリ１７を駆動して、磁気ヘッド１４を所望の位置にアクセスさせるボイスコイルモータＶＣＭ１８と、ホストとの命令及びデータを送受信して磁気ディスク装置１０を制御するためのＩＣなどが実装された回路基板１９と、ヘッドスタックアセンブリ１７等に固定され磁気ヘッド１４を介して情報を記録再生するための信号の処理を行うヘッドアンプＩＣ（ＨＤＩＣ）２０を実装した配線板２１などから構成されている。
【００１８】
磁気ディスク装置１０は、ホストから記録データ信号を受信すると、図４に示す矢印Ａの方向に回転する磁気ディスク１３上を微少量だけ浮上しつつ、磁気ヘッド１４は図４に示す矢印Ｂの方向にシークして所望の磁気ディスク１３上の位置に到達し、記録データ信号に基づいてＨＤＩＣ２０において交番する記録電流に変換され、磁気ヘッド１４より漏洩する記録磁界により磁気ディスク１３に記録される。図４に示すように磁気ヘッド１４とＨＤＩＣ２０は、フレキシブルプリント回路板（ＦＰＣ）２２などにより接続され、ＨＤＩＣ２０は磁気ヘッド１４に近接して設けられ、サスペンション１６上に設けることもできる。記録された情報の再生は、磁気ディスク１３の磁化から漏洩する磁界を、磁気ヘッド１４の磁気感応素子（図示せず）が電流または電圧に変換し、ＨＤＩＣ２０において再生データ信号に復調されホストに送信される。
【００１９】
図５は、本実施例に係る磁気ディスク装置の一例を示すブロック図である。
【００２０】
図５を参照するに、磁気ディスク装置１０は、パソコンから送られてきた記録データ信号などを磁気ディスク１０上のシリンダ、セクタなどのどの位置に記録するかを決定等するＨＤＣ２３と、その情報に基づいてスピンドルモータ２４を回転させ、ヘッドの位置を制御するモータコントロールユニット（ＭＣＵ）２５とサーボコントローラ（ＳＶＣ）２６と、記録データ信号の変調・復調を行うリード・ライト・チャネル（ＲＤＣ）２７と、変調された記録データ信号を記録電流に変換し、再生データ信号の検出等を行うＨＤＩＣ２０などから構成されている。
【００２１】
ＨＤＣ２３は、パソコンから受信した記録データ信号にＥＣＣ（エラー訂正コード）を付与し、ＲＤＣ２７は、そのＥＣＣを付与された記録データ信号を変調して、さらに記録補償を行う。ＨＤＩＣ２０は、内部に搭載されたライトドライバ回路により、変調された記録データ信号をスイッチングする記録電流に変換して磁気ヘッド１４に送信する。
【００２２】
図６は、本実施例に係るライトドライバ回路の主要部を示す図である。
【００２３】
図６を参照するに、ライトドライバ回路３０は、Ｈブリッジの４つの辺にそれぞれ配置された４つ電流源ＣＳ１〜ＣＳ４と、Ｈブリッジのブリッジの部分に配置された磁気ヘッド１４と、ブリッジの両端とＨブリッジの辺との接続点Ｐ，Ｎとグランドとの間に直列接続されたコンデンサＣ１，Ｃ２および終端抵抗Ｒ１，Ｒ２などにより構成されている。また、電流源ＣＳ１，ＣＳ２は電源Ｖｃに接続されており、電流源ＣＳ３，ＣＳ４は電源−Ｖｃに接続されている。さらに、高転送レート下では、電流源ＣＳ１〜ＣＳ４と磁気ヘッド１４の素子間の伝送ライン２８（例えば図４に示すＦＰＣ２２）に寄生するインダクタンス、抵抗等が問題になってくる。伝送ライン２８を、図６中に模式的にインダクタおよび抵抗で示してある。なお、ここで、Ｈブリッジの「ブリッジ」はＨの文字の横線であり、Ｈブリッジの「辺」は、Ｈの文字のそれぞれの縦線でかつブリッジで二分されたそれぞれのものである。
【００２４】
電流源ＣＳ１〜ＣＳ４は、ＣＳ１とＣＳ３がこの順に順方向に接続され、ＣＳ２とＣＳ４がこの順に順方向に接続されている。電流源ＣＳ１〜ＣＳ４は、例えばバイポーラもしくはＣＭＯＳトランジスタなどを用いることができる。電流源ＣＳ１〜ＣＳ４は、電流源ＣＳ１と電流源ＣＳ４とが一方の組となり、電流源ＣＳ２と電流源ＣＳ３とが他方の組となり、記録データ信号の“Ｈ”、“Ｌ”によりオンオフし、一方の組がオンのときは、他方はオフとなる。このようにして、磁気ヘッド１４に記録電流を流すようになっている。
【００２５】
ここで特徴的なのは、終端抵抗Ｒ１，Ｒ２と、コンデンサＣ１，Ｃ２によりＲＣハイパスフィルタを形成していることである。終端抵抗Ｒ１，Ｒ２は、伝送ライン２２のインピーダンスと整合をとるように設定される。例えば、伝送ラインのインピーダンスが５０Ωのときは、終端抵抗Ｒ１，Ｒ２は５０Ωに設定される。また、ＲＣハイパスフィルタのカットオフ周波数ｆｃ以下の低周波成分は通過することができないので、カットオフ周波数ｆｃは記録電流信号の最低記録周波数ｆｍｉｎ以下に設定される。すなわち、カットオフ周波数ｆｃは、ｆｃ＝（２πＲＣ）−１と表され、コンデンサＣ１，Ｃ２は、Ｃ≧（２πＲｆｍｉｎ）−１により設定される。ここで、Ｒは終端抵抗Ｒ１，Ｒ２の抵抗値、ＣはコンデンサＣ１，Ｃ２の電気容量である。また、コンデンサＣ１，Ｃ２は、後述する記録電流波形のオーバーシュート量を調整するために使用される。
【００２６】
以下、ライトドライバ回路３０の動作を電流源ＣＳ１〜ＣＳ４の制御信号と記録電流波形とともに具体的に説明する。
【００２７】
図７（Ａ）〜（Ｃ）は、電流源の制御信号および磁気ヘッド１４における記録電流を示す波形図である。図７（Ａ）では、電流源ＣＳ１およびＣＳ４に入力される記録データ信号の波形を示している。この記録データ信号が“Ｈ”のときは、電流源ＣＳ１およびＣＳ４がオンとなる。一方図７（Ｂ）に示すように、電流源ＣＳ２およびＣＳ３の制御信号は、“Ｌ”となって、電流源ＣＳ２およびＣＳ３がオフとなる。その結果、図６に示すＰからＮの方向に磁気ヘッド１４に記録電流が流れる。次に制御信号が逆の状態になって、ＮからＰの方向に記録電流が流れる。図７（Ｃ）はこの記録電流を示す波形である。図７（Ｃ）に示すように、記録電流波形は立上がりでオーバーシュートする。このオーバーシュートは、終端抵抗Ｒ１，Ｒ２の抵抗値Ｒ、コンデンサＣ１，Ｃ２の電気容量Ｃ、ＨＤＩＣ２０から磁気ヘッド１４までの伝送ライン２２および磁気ヘッド１４のインダクタンスＬによるＬＣＲ共振回路の共振によるものである。このオーバーシュートの時間幅は、前記Ｒ、Ｃ、Ｌによって決定され、コンデンサＣ１およびＣ２の電気容量Ｃを設定することにより調整可能である。
【００２８】
図８は、記録電流の立上がり波形を示す図である。図８を参照するに、記録電流の立上がり波形のオーバーシュートの時間幅Δｔは、Ｃ＜４Ｌ／Ｒ２およびＣ＞４Ｌ／Ｒ２と比較して、Ｃ＝４Ｌ／Ｒ２を満足する電気容量Ｃに設定した場合、最小にすることができる。この条件はＬＣＲ共振回路について集中定数を用いて求めることができる。
【００２９】
本来、記録電流をオーバーシュートさせることは、磁気ヘッドから発生する記録磁界のスイッチング時にスイッチング後の記録磁界より大きな記録磁界を磁気ディスクに印可して、磁気ディスクの磁化を高速で反転する際に必要な磁界を確保することを目的としている。本実施例に係るライトドライバ回路３０により磁気ディスクのオーバーライト特性およびＮＬＴＳ特性を改善することができる。
【００３０】
一方、オーバーシュートの時間幅Δｔは磁気ディスクの磁化が回転するのに要する時間さえあれば十分であり、その時間は１０−１５ｓｅｃ以下と見積もられる。他方、オーバーシュートの時間幅Δｔは１０−１２ｓｅｃ程度なので、オーバーシュートの時間幅Δｔは短いほどよい。オーバーシュートの時間幅Δｔが長い場合は、記録磁界がスイッチング後の適正な記録磁界（図８に示す記録電流Ｉｗに対応する）より大きな磁界が印可されることになるので、磁気ディスクのアシンメトリ特性が劣化することがある。
【００３１】
コンデンサＣ１およびＣ２のキャパシタンスＣは、例えば、終端抵抗Ｒ１を５０Ω、ＨＤＩＣ２０から磁気ヘッド１４までの伝送ライン２２および磁気ヘッド１４のインダクタＬを３０ｎＨとすると、４８ｐＦと求めることができる。なお、図８に示すように、オーバーシュートの時間幅Δｔは、記録電流が立ち上がってＩｗを超えた時間から再びＩｗに安定してなるまでの時間である。
【００３２】
図９（Ａ）および（Ｂ）は、本実施例に係るライトドライバ回路の動作を説明するための等価回路の概略を示す図である。図９（Ａ）は記録電流がスイッチングする際を示し、図９（Ｂ）は記録電流が一定の際を示している。
【００３３】
図９（Ａ）では、記録電流がスイッチングする際は、記録電流は高周波成分からなっており、コンデンサＣ１，Ｃ２は高周波成分に対しては短絡するように働くため、図中では単なる配線として表現されている。したがって、ＣＳ１から出力された記録電流は、Ｐ点から磁気ヘッド１４を流れてＮ点の方向に流れ、電流源ＣＳ４と終端抵抗Ｒ２を流れることになる。電流源ＣＳ２およびＣＳ３がオンになった場合も同様である。
【００３４】
図９（Ｂ）では、記録電流が一定の際は、コンデンサＣ１，Ｃ２は絶縁性となり、ＣＳ１から出力された記録電流は、−接続点Ｐから磁気ヘッド１４を流れて接続点Ｎの方向に流れ、電流源ＣＳ４を流れることになる。
【００３５】
上述したように、本実施例によれば、磁気ヘッド１４の両端とグランドもしくは電源に接続されたコンデンサＣ１，Ｃ２および終端抵抗Ｒ１，Ｒ２の直列回路により、インピーダンスを整合することができる。また、４つの電流源ＣＳ１〜ＣＳ４、コンデンサＣ１，Ｃ２および終端抵抗Ｒ１，Ｒ２によりライトドライバ回路３０を構成しているので、能動素子を少なくすることができ、ライトドライバ回路３０を搭載するＨＤＩＣ２０を小型化、省電力化を図ることができる。また、一方の組の電流源がオンになっている間は他方の組の電流源をオフとすることができるので、一層省電力化を図ることができる。さらに、ＬＣＲ共振回路により記録電流波形にオーバーシュートを形成し、かつコンデンサＣ１，Ｃ２によりオーバーシュートの時間幅Δｔを調整することができるので、転送レートの高速化に対応することが可能である。
【００３６】
なお、直列に接続されたコンデンサＣ１，Ｃ２および終端抵抗Ｒ１，Ｒ２は、終端抵抗Ｒ１，Ｒ２がグランドに接続されているが、コンデンサＣ１，Ｃ２がグランドに接続されてもよい。また、直列に接続されたコンデンサＣ１，Ｃ２および終端抵抗Ｒ１，Ｒ２は、グランドのみならず電源に接続されてもよい。
【００３７】
図１０は、第１実施例の第１変形例に係るライトドライバ回路の主要部を示す図である。図中、先に説明した部分に対応する部分には同一の参照符号を付し、説明を省略する。
【００３８】
図１０を参照するに、本変形例に係るライトドライバ回路３５は、接続点Ｐ，Ｎとグランドとの間に更に抵抗Ｒ３，Ｒ４が接続されている以外は第１実施例に係るライトドライバ回路３０と同様に構成されている。接続点Ｐ，Ｎとグランドとの間に接続された抵抗Ｒ３，Ｒ４は、接続点ＰおよびＮを正負の電源電圧のほぼセンター値に設定するものである。抵抗Ｒ３，Ｒ４の大きさは１ｋΩ以上であればよく、電位が安定する点で１ｋΩ〜１０ｋΩであることが好ましい。
【００３９】
本変形例によれば、磁気ヘッド１４の電位をセンター値にすることができるので、電流源に用いられるトランジスタなどの動作を安定化することができる。
【００４０】
［第２実施例］
図１１は、本発明の実施例に係るライトドライバ回路の主要部を示す図である。以下図中、先に説明した部分に対応する部分には同一の参照符号を付し、説明を省略する。
【００４１】
図１１を参照するに、本実施例に係るライトドライバ回路４０は、Ｈブリッジの４つの辺にそれぞれ配置された４つトランジスタＱ１〜４と、Ｈブリッジのブリッジをなす磁気ヘッド１４と、磁気ヘッド１４の両端の各々とＨブリッジの辺との接続点とグランドとの間に接続されたコンデンサＣ１，Ｃ２および終端抵抗Ｒ１，Ｒ２の直列回路などより構成されている。また、トランジスタＱ１〜４と磁気ヘッド１４との素子間の伝送ライン２８を、図１１中に模式的にインダクタおよび抵抗で示してある。
【００４２】
トランジスタＱ１〜Ｑ４は、Ｑ１とＱ３がこの順に順方向に接続され、Ｑ２とＱ４がこの順に順方向に接続されている。トランジスタＱ１〜Ｑ４は例えばＮＰＮバイポーラトランジスタ、ＰＮＰバイポーラトランジスタ、ｎチャネルＭＯＳトランジスタ、ｐチャネルＭＯＳトランジスタを用いることができる。トランジスタＱ１〜４は、トランジスタＱ１とトランジスタＱ４、およびトランジスタＱ２とトランジスタＱ３とがそれぞれ組となり、記録データ信号の“Ｈ”、“Ｌ”によりオンオフし、一方の組がオンのときは、他方はオフとなる。このようにして、磁気ヘッド１４に記録電流が流れる。ライトドライバ回路４０の記録電流波形は、図７（Ｃ）および図８で説明した第１実施例のライトドライバ回路と同様である。
【００４３】
本実施例によれば、磁気ヘッド１４の両端とグランドもしくは電源端子に接続されたコンデンサＣ１，Ｃ２および終端抵抗Ｒ１，Ｒ２の直列回路により、インピーダンスを整合することができる。また、４つのトランジスタＱ１〜Ｑ４、コンデンサＣ１，Ｃ２および終端抵抗Ｒ１，Ｒ２によりライトドライバ回路４０を構成しているので、能動素子を少なくすることができ、ライトドライバ回路４０を搭載するＨＤＩＣ２０を小型化、省電力化を図ることができる。また、一方の組のトランジスタがオンになっている間は他方の組のトランジスタをオフとすることができるので、一層省電力化を図ることができる。さらに、ＬＣＲ共振回路により記録電流波形にオーバーシュートを形成し、かつコンデンサＣ１，Ｃ２によりオーバーシュートの時間幅Δｔを調整することができるので、転送レートの高速化に対応することが可能である。
【００４４】
図１２は、第１実施例の第２変形例に係るライトドライバ回路の主要部を示す図である。
【００４５】
図１２を参照するに、本変形例のライトドライバ回路４５は、図６に示す第１実施例のドライバ回路３０の電流源ＣＳ１，ＣＳ２の代わりにＰＮＰ型のトランジスタＱ５，Ｑ６、電流源ＣＳ３，ＣＳ４の代わりにＮＰＮ型のトランジスタＱ７，Ｑ８が用いられ、これらのトランジスタＱ５〜Ｑ８のベースにバッファＢｆ１〜Ｂｆ４の出力側が接続されている。さらに、トランジスタＱ３〜Ｑ６のベースに、一端がグランドに接続されているコンデンサＣ５〜Ｃ８が接続されている。これらのコンデンサＣ５〜Ｃ８は、バッファＢｆ１〜Ｂｆ４によって出力された記録データ信号がトランジスタＱ５〜Ｑ８のベースに入力される際にローパスフィルタの動作を行うので、磁気ヘッド１４に流れる記録電流波形を調整することができる。
【００４６】
図１３（Ａ）〜（Ｄ）は、トランジスタＱ５〜Ｑ８のベースの入力信号および磁気ヘッドにおける記録電流を示す波形図である。図１３（Ａ）〜（Ｄ）において、破線で示す波形はコンデンサＣ５〜Ｃ８を配置しない場合を示し、実線で示す波形が本変形例の波形を示している。
【００４７】
図１３（Ａ）および（Ｂ）では、トランジスタＱ５からＱ８のベースの入力信号の波形は、破線で示す波形と比較して、立上がり時間が長くなっている。コンデンサＣ５〜Ｃ８に電流が流れ込むことによるものである。この記録データ信号に対応して、図１３（Ｃ）に示すトランジスタＱ５およびトランジスタＱ８がオンになる場合のみの磁気ヘッド１４に流れる記録電流波形は、破線で示すコンデンサＣ５およびＣ６がない場合との波形と比較して立上がり時間が長く、オーバーシュート量が小さい波形になっている。トランジスタＱ５およびトランジスタＱ８がオフの時はトランジスタＱ６およびＱ７がオンになるので、本実施例のライトドライバ回路４５により図１３（Ｄ）に示す記録電流を磁気ヘッドに流すことができる。
【００４８】
したがって、本変形例によれば、記録電流波形を、コンデンサＣ５〜Ｃ８により、立上がり時間およびオーバーシュート量を精度よく調整することができる。その結果、磁気ディスクの特性や記録条件に適合した記録電流波形を実現できる。
【００４９】
図１４は、第１実施例の第３変形例に係るライトドライバ回路の主要部を示す図である。図１５（Ａ）〜（Ｄ）は、本変形例のトランジスタＱ５〜Ｑ８のベースの入力信号および磁気ヘッド１４における記録電流をそれぞれ示す波形図である。
【００５０】
図１４を参照するに、本実施例のドライバ回路５０は、図６に示す第１実施例のドライバ回路３０の電流源ＣＳ１，ＣＳ２の代わりにＰＮＰ型のトランジスタＱ５，Ｑ６、電流源ＣＳ３，ＣＳ４の代わりにＮＰＮ型のトランジスタＱ７，Ｑ８が用いられ、トランジスタＱ５，Ｑ６のベースに電流源ＣＳ５，ＣＳ６の入力側、トランジスタＱ７，Ｑ８のベースに電流源ＣＳ７，ＣＳ８の出力側が接続されている。図１５（Ａ）〜（Ｃ）に示すように、電流源ＣＳ５，ＣＳ８は、トランジスタＱ５のベースに入力される記録データ信号の“Ｈ”から“Ｌ”への立下がり並びにトランジスタＱ８のベースに記録データ信号が反転されて“Ｌ”から“Ｈ”への立上がりに同期してオンされ、矩形状の記録電流を出力して、図１５（Ｄ）に示すように、ベース電流量を増加させて、記録ヘッド１４における記録電流の立上がり時間およびオーバーシュート量を調節することができる。トランジスタＱ５およびトランジスタＱ８がオフの時はトランジスタＱ６およびＱ７がオンになるので、本実施例のライトドライバ回路５０により図１５（Ｅ）に示す記録電流を磁気ヘッドに流すことができる。
【００５１】
本変形例によれば、電流源ＣＳ５〜ＣＳ８により矩形波の電流を入力しても、磁気ヘッド１４両端の接続点Ｐ，Ｎに接続されるコンデンサＣ１，Ｃ２および終端抵抗Ｒ１，Ｒ２の直列回路によりインピーダンスが整合されているので、反射が防止され、記録電流波形が乱されることがない。また、電流源ＣＳ５〜ＣＳ８の電流量により所望のオーバーシュート量および立上がり時間に設定することができる。
【００５２】
以上本発明の好ましい実施例について詳述したが、本発明は係る特定の実施形態に限定されるものではなく、特許請求の範囲に記載された本発明の要旨の範囲内において、種々の変形・変更が可能である。
【００５３】
例えば、第１実施例およびその変形例、第２実施例は、互いに組み合わせることができる。
【００５４】
また、上記では磁気ディスク装置を例に説明したが、磁気記憶装置は磁気ディスク装置に限定されず、磁気テープ装置であってもよく、さらに、記録磁界を交番して磁気記録媒体に記録する原理を用いる装置であれば本発明を適用することができる。
【００５５】
なお、以上の説明に関して更に以下の付記を開示する。
（付記１）　第１の電源と第２の電源との間に形成されたＨブリッジのブリッジに設けられた磁気ヘッドに記録電流を流して、記録媒体に情報を記録する磁気記憶装置において、
前記Ｈブリッジの各辺に電流源を有し、前記電流源は、第１の電源から第２の電源の方向に流れる４つの電流源であって、前記４つ電流源は２つの組からなり、前記各組の電流源は、同時にオンオフして前記ブリッジに同一方向の記録電流を流すように配置され、
前記ブリッジと辺との接続点と、グランドまたは前記電源との間に、コンデンサと抵抗よりなる直列回路を設けたことを特徴とする磁気記憶装置。
（付記２）　前記接続点とグランドとの間に抵抗を更に設けたことを特徴とする付記１記載の磁気記憶装置。
（付記３）　第１の電源と第２の電源との間に形成されたＨブリッジのブリッジに設けられた磁気ヘッドに記録電流を流して、記録媒体に情報を記録する磁気記憶装置において、
前記Ｈブリッジの４辺の各辺にスイッチング素子を有し、前記スイッチング素子は２つの組からなり、前記各組のスイッチング素子は、同時にオンオフして前記ブリッジに同一方向の記録電流を流すように配置され、
前記ブリッジと辺との接続点と、グランドまたは電源との間に、コンデンサと抵抗よりなる直列回路を設けたことを特徴とする磁気記憶装置。
（付記４）　前記スイッチング素子はトランジスタであり、
前記磁気ヘッドに電流を供給する側のトランジスタに、オンオフ制御を行う制御信号をローパスフィルタを介して供給することを特徴とする付記３記載の磁気記憶装置。
（付記５）　前記スイッチング素子はトランジスタであり、
前記接続点に、前記磁気ヘッドに記録電流を流す立上がり期間に電流を供給する電流源をさらに設けたことを特徴とする付記３記載の磁気記憶装置。
（付記６）　前記コンデンサの電気容量Ｃは、Ｃ≧（２πＲｆｍｉｎ）−１（Ｒは前記直列回路をなす抵抗の抵抗値、ｆｍｉｎは前記記録電流の最低周波数）で表されることを特徴とする付記１〜５のうち、いずれか一項記載の磁気記憶装置。
【００５６】
【発明の効果】
以上詳述したところから明らかなように、本発明によれば、４つの電流源と磁気ヘッドにより形成されたＨブリッジのライトドライバ回路に、磁気ヘッドの両端とグランドもしくは電源との間に、それぞれコンデンサおよび終端抵抗を直列に接続することにより、インピーダンス整合を実現し、回路規模を小型化して消費電力を低減するとともに、高転送レートの記録が可能なライトドライバ回路を用いた磁気記憶装置を提供することができる。
【図面の簡単な説明】
【図１】従来のライトドライバ回路の主要部分の構成を示す図である。
【図２】ライトドライバ回路の主要部分の構成を示す図である
【図３】制御信号および記録電流を示す波形図である。
【図４】本発明の実施例に係る磁気ディスク装置の一例を示す斜視図である。
【図５】本施例に係る磁気ディスク装置の一例を示すブロック図である。
【図６】本実施例に係るライトドライバ回路の主要部を示す図である。
【図７】（Ａ）〜（Ｃ）は電流源の制御信号および磁気ヘッドにおける記録電流を示す波形図である。
【図８】記録電流の立上がり波形を示す図である。
【図９】（Ａ）および（Ｂ）は本実施例のライトドライバ回路の等価回路の概略を示す図である。
【図１０】第１実施例の第１変形例に係るライトドライバ回路の主要部を示す図である。
【図１１】本発明の第２実施例に係るライトドライバ回路の主要部を示す図である。
【図１２】第１実施例の第２変形例に係るライトドライバ回路の主要部を示す図である。
【図１３】トランジスタＱ５〜Ｑ８のベースの入力信号および磁気ヘッドにおける記録電流を示す波形図である。
【図１４】第１実施例の第３変形例に係るライトドライバ回路の主要部を示す図である。
【図１５】トランジスタＱ５，Ｑ８のベースの入力信号、電流源ＣＳ５，ＣＳ８の出力電流および磁気ヘッドにおける記録電流を示す波形図である。
【符号の説明】
１０　　磁気ディスク装置
１３　　磁気ディスク
１４　　磁気ヘッド
２０　　ヘッドアンプＩＣ（ＨＤＩＣ）
２２　　フレキシブルプリント回路板（ＦＰＣ）
３０，３５，４０，４５，５０　　ライトドライバ回路
ＣＳ１〜ＣＳ４　　電流源
Ｑ１〜Ｑ８　　トランジスタ
Ｃ１、Ｃ２、Ｃ５〜Ｃ８　　コンデンサ
Ｂｆ１〜Ｂｆ４　　バッファ
Ｒ１，Ｒ２　　終端抵抗
Ｒ３，Ｒ４　　抵抗
【図１】
2004087016.tif 000003
【図２】
2004087016.tif 000004
【図３】
2004087016.tif 000005
【図４】
2004087016.tif 000006
【図５】
2004087016.tif 000007
【図６】
2004087016.tif 000008
【図７】
2004087016.tif 000009
【図８】
2004087016.tif 000010
【図９】
2004087016.tif 000011
【図１０】
2004087016.tif 000012
【図１１】
2004087016.tif 000013
【図１２】
2004087016.tif 000014
【図１３】
2004087016.tif 000015
【図１４】
2004087016.tif 000016
【図１５】
2004087016.tif 000017